(57)【特許請求の範囲】
【請求項１】
（ａ）開閉自在に配設された接客シャッタと、
（ｂ）該接客シャッタの下方に配設され、入金取引時及び出金取引時に硬貨を収容する受皿部と、
（ｃ）該受皿部の下方に配設され、硬貨を繰り出す繰出部と、
（ｄ）前記受皿部の側方に配設され、受皿部に硬貨を搬送する搬送ベルトとを有するとともに、
（ｅ）前記受皿部は、上端及び下端が開口させられた受皿部本体、該受皿部本体に対してオープン位置とクローズ位置とを採る第１の受皿底、該第１の受皿底より下方に配設され、前記受皿部本体に対してオープン位置とクローズ位置とを採る第２の受皿底、並びに、入金取引時に、前記第１の受皿底をオープン位置に、第２の受皿底をクローズ位置に置き、出金取引時に、前記第１の受皿底をクローズ位置に置く受皿底深さ設定手段を備えることを特徴とする硬貨入出金機。
【請求項２】
（ａ）開閉自在に配設された接客シャッタと、
（ｂ）該接客シャッタの下方に配設され、入金取引時及び出金取引時に硬貨を収容する受皿部と、
（ｃ）該受皿部の下方に配設され、硬貨を繰り出す繰出部と、
（ｄ）前記受皿部の側方に配設され、受皿部に硬貨を搬送する搬送ベルトとを有するとともに、
（ｅ）前記受皿部は、上端及び下端が開口させられた受皿部本体、該受皿部本体に対して上下方向に移動させられ、かつ、水平方向に移動させられてオープン位置とクローズ位置とを採る受皿底、並びに、入金取引時に、前記受皿底を下方のクローズ位置に置き、出金取引時に、前記受皿底を上方のクローズ位置に置く受皿底深さ設定手段を備えることを特徴とする硬貨入出金機。
【請求項３】
（ａ）開閉自在に配設された接客シャッタと、
（ｂ）該接客シャッタの下方に配設され、入金取引時及び出金取引時に硬貨を収容する受皿部と、
（ｃ）該受皿部の下方に配設され、硬貨を繰り出す繰出部と、
（ｄ）前記受皿部の側方に配設され、受皿部に硬貨を搬送する搬送ベルトとを有するとともに、
（ｅ）前記受皿部は、回転自在に配設された受皿部ドラム、該受皿部ドラムに固定され、浅く設定され、湾曲させて形成された面を有する第１の受皿底、前記受皿部ドラムに固定され、深く設定され、湾曲させて形成された面を有する第２の受皿底、並びに、入金取引時に、前記第２の受皿底を上方に向け、硬貨の投入が終了した後に前記第２の受皿底を下方に向け、出金取引時に、前記第１の受皿底を上方に向け、硬貨識別部によって真偽判定が行われた損貨又は偽貨の返却時に、前記第１の受皿底を上方に向ける受皿底深さ設定手段を備えることを特徴とする硬貨入出金機。
【発明の詳細な説明】
【０００１】
【産業上の利用分野】
本発明は、硬貨入出金機に関するものである。
【０００２】
【従来の技術】
従来、銀行等の金融機関で使用される自動取引装置においては、顧客自身が入出金取引、残高照会、振込み等の取引を行うことができるようになっていて、そのために、前記自動取引装置は硬貨入出金機を備える。
図２は従来の自動取引装置及びホストコンピュータのブロック図である。
【０００３】
図において、１１は自動取引装置の中枢となる主制御部であり、該主制御部１１は、取引の進行に合わせ、主制御部１１に接続されるすべての要素を統括する。また、１２は顧客操作表示部であり、顧客は該顧客操作表示部１２を操作することによって、暗証番号、金額等を入力することができる。そのために、前記顧客操作表示部１２は、入力キー、誘導文言を表示する表示画面を備えた図示しないＣＲＴ、該ＣＲＴの上部に配設され、顧客が表示画面のどの部分を押したかを検出する図示しないタッチパネル等を有する。
【０００４】
そして、１３はカードリーダプリンタであり、該カードリーダプリンタ１３は、図示しないカード上に形成された磁気記録媒体に対してデータの読出し及び書込みを行うとともに、図示しない明細票に取引内容を印字する。
また、１４は入金紙幣を鑑別したり、計数したり、指定された枚数の紙幣を計数して出金したりする紙幣入出金機、１５は入金硬貨を鑑別したり、計数したり、指定された枚数の硬貨を計数して出金したりする硬貨入出金機、１６は図示しない通帳への取引内容の印字及び通帳の磁気情報記録部に対してデータの読出し及び書込みを行う通帳記帳機である。なお、該通帳記帳機１６は、通帳の開かれたページに取引内容を書ききれなくなった場合に、自動式にページをめくるオートターンページ機構を有する。
【０００５】
さらに、１７は内部操作部であり、銀行員及び保守員が該内部操作部１７を操作することによって、各種操作、例えば、自動取引装置の運用状況、実行中の取引内容、障害時の発生状況等の各種情報を表示させたり、電源をオン・オフさせたり、自動取引装置のリセット指示、保守動作の実行指示等の動作指示を行ったりすることができる。
【０００６】
また、１８は上位インタフェース部であり、該上位インタフェース部１８は、例えば、複数の自動取引装置の制御及び情報の収集を統括するホストコンピュータ１９と自動取引装置とを交換回線等を介して接続する。
次に、前記構成の自動取引装置に配設された硬貨入出金機１５について説明する。
【０００７】
図３は従来の自動取引装置の硬貨入出金機の概略図である。
図において、２１は受皿部であり、該受皿部２１は、入金硬貨の取込み、取忘れ硬貨の取込み、出金硬貨の払出し、硬貨の返却、損貨、偽貨等の返却、取引取消硬貨の返却等を行う。
また、２２は一括して投入された硬貨を一枚ごとに分離して繰り出す繰出部、２３は一枚ずつ分離させられ、搬送されてくる硬貨の金種を判別して計数する硬貨鑑別部、２４は鑑別計数された硬貨を、硬貨径によって金種別に選別し、カウントして分離する選別部、２５は金種判別及び計数された硬貨を一次的に保留する一次保留部である。この場合、図示しないＣＲＴの表示画面の「確認」キーを押すことによって、一次保留部２５に保留された硬貨を金種スタッカ部２６に移動させ、前記ＣＲＴの表示画面の「取消」キーを押すことによって、一次保留部２５に保留されていた硬貨を返却位置に移動させる。
【０００８】
前記金種スタッカ部２６は、金種別に振り分けられた硬貨を金種別に収納するとともに、放出指示を受けて硬貨を計数し放出する。
そして、２７は金種スタッカ部２６に入らない入金硬貨を収納するリジェクトスタッカであり、金種スタッカ部２６からの回収指示及び自動補充指示を受けて、硬貨を繰り出す。さらに、２８は補充・回収カセットであり、該補充・回収カセット２８は、あらかじめ収納されたばら混合硬貨を補充指示に従い自動的に繰り出すとともに、回収指示を受けて硬貨を自動的に回収し収納する。また、２９は顧客が取り忘れた硬貨を収納する取忘取込ボックスであり、該取忘取込ボックス２９に収納された硬貨は銀行員によって取り出され、顧客に返却される。
【０００９】
次に、前記受皿部２１について説明する。
図４は従来の硬貨入出金機の受皿部の概略図、図５は従来の硬貨入出金機の受皿部の斜視図である。なお、図５において、破線は硬貨入出金機ユニットの外形を表す。
図において、３４は接客シャッタであり、該接客シャッタ３４は、入金硬貨の投入時又は出金硬貨の受取り時に図示しないモータを駆動することによって、矢印Ａ方向に移動させて開閉される。また、３１は前記接客シャッタ３４の下方において、回転自在に配設された受皿であり、顧客が投入した入金硬貨又は放出された出金硬貨が集積されるようになっている。そして、前記受皿３１と受皿回転モータ３２とがベルト３２ａを介して接続され、受皿回転モータ３２を駆動することによって、前記受皿３１を回転させ、受皿３１の下方に配設された前記繰出部２２（図３）に硬貨を自然落下させることができる。
【００１０】
なお、３３は出金硬貨、損貨、偽貨等を受皿３１に搬送する搬送ベルトである。
【００１１】
【発明が解決しようとする課題】
しかしながら、前記従来の硬貨入出金機においては、入出金される最大の枚数（現状では約１００枚）の硬貨を収容することができるように受皿３１が深く設計されているので、受皿部２１（図３）内が見えにくくなってしまう。
したがって、出金取引等において、受皿３１に放出される硬貨の枚数が少ない場合（出金取引の場合、最大でも２７枚の硬貨が受皿３１に放出されるだけである。）には、受皿３１内の硬貨を手探りで取り出すことになり、硬貨の取忘れがしばしば発生してしまう。
【００１２】
本発明は、前記従来の硬貨入出金機の問題点を解決して、硬貨の取忘れが発生することがない硬貨入出金機を提供することを目的とする。
【００１３】
【課題を解決するための手段】
そのために、本発明の硬貨入出金機においては、開閉自在に配設された接客シャッタと、該接客シャッタの下方に配設され、入金取引時及び出金取引時に硬貨を収容する受皿部と、該受皿部の下方に配設され、硬貨を繰り出す繰出部と、前記受皿部の側方に配設され、受皿部に硬貨を搬送する搬送ベルトとを有する。
【００１４】
そして、前記受皿部は、上端及び下端が開口させられた受皿部本体、該受皿部本体に対してオープン位置とクローズ位置とを採る第１の受皿底、該第１の受皿底より下方に配設され、前記受皿部本体に対してオープン位置とクローズ位置とを採る第２の受皿底、並びに、入金取引時に、前記第１の受皿底をオープン位置に、第２の受皿底をクローズ位置に置き、出金取引時に、前記第１の受皿底をクローズ位置に置く受皿底深さ設定手段を備える。
【００１５】
【作用】
本発明によれば、前記のように硬貨入出金機においては、開閉自在に配設された接客シャッタと、該接客シャッタの下方に配設され、入金取引時及び出金取引時に硬貨を収容する受皿部と、該受皿部の下方に配設され、硬貨を繰り出す繰出部と、前記受皿部の側方に配設され、受皿部に硬貨を搬送する搬送ベルトとを有する。
そして、前記受皿部は、上端及び下端が開口させられた受皿部本体、該受皿部本体に対してオープン位置とクローズ位置とを採る第１の受皿底、該第１の受皿底より下方に配設され、前記受皿部本体に対してオープン位置とクローズ位置とを採る第２の受皿底、並びに、入金取引時に、前記第１の受皿底をオープン位置に、第２の受皿底をクローズ位置に置き、出金取引時に、前記第１の受皿底をクローズ位置に置く受皿底深さ設定手段を備える。
【００１６】
この場合、入金取引時において、接客シャッタが開かれ、硬貨が受皿部に投入され、その後、受皿部に収容された硬貨は繰出部に自然落下させられ、該繰出部によって繰り出される。
また、出金取引時において、搬送ベルトによって硬貨が受皿部に搬送され、その後、接客シャッタが開かれる。
【００１７】
そして、前記受皿部は、入金取引時に受皿底を深く、出金取引時に受皿底を浅くする受皿底深さ設定手段を備える。したがって、前記受皿部は、入金取引時に十分な枚数の硬貨を収容することができる。また、出金取引時に受皿部内が見えやすくなる。
【００１８】
【実施例】
以下、本発明の実施例について図面を参照しながら詳細に説明する。
図１は本発明の第１の実施例における硬貨入出金機の受皿部の構造図、図６は本発明の第１の実施例における硬貨入出金機の受皿部の断面図、図７は本発明の第１の実施例における硬貨入出金機の受皿部の第１の状態図、図８は本発明の第１の実施例における硬貨入出金機の受皿部の第２の状態図、図９は本発明の第１の実施例における硬貨入出金機の受皿部の第３の状態図、図１０は本発明の第１の実施例における硬貨入出金機の受皿部の第４の状態図、図１１は本発明の第１の実施例における硬貨入出金機の受皿部の第５の状態図である。
【００１９】
図において、３４は接客シャッタ、４０は投入された入金硬貨、放出された出金硬貨等を収容する受皿部であり、該受皿部４０は、上端及び下端が開口させられた４角筒状の受皿部本体４１、並びに水平方向に移動自在に配設された第１の受皿底４２及び第２の受皿底４３を有する。
そして、前記第１の受皿底４２は第１の駆動モータ４４を駆動することによって、第２の受皿底４３は第２の駆動モータ４５を駆動することによって移動させられ、受皿部本体４１にセットされるクローズ位置と、受皿部本体４１の外に置かれるオープン位置とを採る。
【００２０】
なお、３３は出金硬貨、損貨、偽貨等を受皿部４０に搬送する搬送ベルトである。
ところで、入金取引時においては、顧客によって投入される最大の枚数（約１００枚）の入金硬貨を収容する必要があるので、図７及び８に示すように、第１の受皿底４２をオープン位置に、第２の受皿底４３をクローズ位置に置いて受皿部４０を深くする。
【００２１】
続いて、図９に示すように、第２の受皿底４３をオープン位置に置くと、収容された硬貨は自然落下して繰出部２２（図３参照）に送られる。
一方、出金取引時においては、最大で２７枚（１００円×９枚、１０円×９枚、１円×９枚）の出金硬貨を収容するだけでよく、損貨、偽貨等の返却時においては、多くて１〜２枚の硬貨を収容するだけでよいので、図１０及び１１に示すように、第１の受皿底４２及び第２の受皿底４３をクローズ位置に置いて受皿部４０を浅くする。
【００２２】
次に、前記構成の受皿部４０の動作をフローチャートに基づいて説明する。
図１２は本発明の第１の実施例における硬貨入出金機の受皿部の動作を示すフローチャートである。
ステップＳ１  顧客待ちの状態、又は硬貨入出金機１５（図２参照）と関係のない、例えば、通帳記帳等の取引が行われている状態においてアイドル待機をする。
ステップＳ２  第１の受皿底４２（図１）をオープン位置に、第２の受皿底４３をクローズ位置に置く。
ステップＳ３  顧客が顧客操作表示部１２を操作することによって、硬貨の取引が選択される。
ステップＳ４  顧客によって選択された取引科目が入金取引であるかどうかを判断する。入金取引である場合はステップＳ８に、入金取引でない場合はステップＳ５に進む。
ステップＳ５  出金取引である場合、第１の受皿底４２及び第２の受皿底４３をクローズ位置に置き、搬送ベルト３３（図６）を走行させて出金硬貨を受皿部４０に搬送する。
ステップＳ６  接客シャッタ３４（図７）を開ける。
ステップＳ７  顧客が硬貨を受け取り、ステップＳ１６に進む。
ステップＳ８  接客シャッタ３４を開ける。
ステップＳ９  顧客が入金硬貨を投入している間、待機する。
ステップＳ１０  入金硬貨の投入が終了すると、接客シャッタ３４を閉める。
ステップＳ１１  第１の受皿底４２及び第２の受皿底４３をオープン位置に置き、投入された入金硬貨を受皿部４０の下方に配設された繰出部２２（図３参照）に自然落下させる。
ステップＳ１２  繰出部２２において分離させられた硬貨について、硬貨鑑別部２３によって真偽判定を行う。すなわち、前記硬貨が損貨、偽貨等であるかどうかを判断する。損貨、偽貨等である場合はステップＳ１４に、損貨、偽貨等でない場合はステップＳ１３に進む。
ステップＳ１３  顧客が投入した入金硬貨と、投入された入金硬貨を計数した結果とが一致すると、顧客は図示しないＣＲＴの表示画面の「確認」キーを押して処理を終了する。
ステップＳ１４  第１の受皿底４２をクローズ位置に置き、搬送ベルト３３を走行させて損貨、偽貨等であると判定された硬貨を受皿部４０に搬送する。
ステップＳ１５  接客シャッタ３４を開き、硬貨を顧客に受け取ってもらう。
ステップＳ１６  受取りが正常に終了したかどうかを判断する。受取りが正常に終了した場合はステップＳ２０に、受取りが正常に終了しなかった場合（顧客が硬貨を取り忘れた場合等）はステップＳ１７に進む。
ステップＳ１７  接客シャッタ３４を閉じる。
ステップＳ１８  第１の受皿底４２及び第２の受皿底４３をオープン位置に置き、硬貨を繰出部２２に自然落下させる。
ステップＳ１９  繰出部２２の下方に配設された取忘取込ボックス２９に取り込んで処理を終了する。
ステップＳ２０  接客シャッタ３４を閉じて処理を終了する。
【００２３】
したがって、前記受皿部４０は、入金取引時に十分な枚数の硬貨を収容することができる。また、出金取引時に受皿部４０内が見えやすくなる。
その結果、硬貨の取忘れが発生するのを防止することができる。
次に、本発明の第２の実施例について説明する。
図１３は本発明の第２の実施例における硬貨入出金機の受皿部の構造図、図１４は本発明の第２の実施例における硬貨入出金機の受皿部の断面図、図１５は本発明の第２の実施例における硬貨入出金機の受皿部の第１の状態図、図１６は本発明の第２の実施例における硬貨入出金機の受皿部の第２の状態図、図１７は本発明の第２の実施例における硬貨入出金機の受皿部の第３の状態図、図１８は本発明の第２の実施例における硬貨入出金機の受皿部の第４の状態図、図１９は本発明の第２の実施例における硬貨入出金機の受皿部の第５の状態図である。
【００２４】
図において、３４は接客シャッタ、７０は投入された入金硬貨、放出された出金硬貨等を収容する受皿部であり、該受皿部７０は、４角筒状の受皿部本体７１、並びに上下方向及び水平方向に移動自在に配設された受皿底７２を有する。
そして、該受皿底７２は上下移動機構７４を作動させることによって上下方向に移動させられるとともに、水平移動モータ７３を駆動することによって水平方向に移動させられ、受皿部本体７１にセットされるクローズ位置と、受皿部本体７１の外に置かれるオープン位置とを採る。
【００２５】
なお、３３は出金硬貨、損貨、偽貨等を受皿部７０に搬送する搬送ベルトである。
また、前記上下移動機構７４は図示しないラックアンドピニオン機構、ジャッキ機構等によって構成される。
この場合、入金取引時においては、顧客によって投入される最大の枚数の入金硬貨を収容する必要があるので、図１５及び１６に示すように、受皿底７２を下方のクローズ位置に置いて受皿部７０を深くする。
【００２６】
続いて、図１７に示すように、受皿底７２を下方のオープン位置に置くと、収容された硬貨は自然落下して繰出部２２（図３参照）に送られる。
一方、出金取引時においては、最大で２７枚の出金硬貨を収容するだけでよく、損貨、偽貨等の返却時においては、多くて１〜２枚の硬貨を収容するだけでよいので、図１８及び１９に示すように、受皿底７２を上方のクローズ位置に置いて受皿部７０を浅くする。
【００２７】
このように、一つの受皿底７２を上下方向及び水平方向に移動させるだけで、入金取引及び出金取引を行うことができるので、受皿部７０の機構を簡素化することができる。
次に、前記構成の受皿部７０の動作をフローチャートに基づいて説明する。
図２０は本発明の第２の実施例における硬貨入出金機の受皿部の動作を示すフローチャートである。
ステップＳ３１  顧客待ちの状態、又は硬貨入出金機１５（図２参照）と関係のない、例えば、通帳記帳等の取引が行われている状態においてアイドル待機をする。
ステップＳ３２  受皿底７２（図１３）を下方のクローズ位置に置く。
ステップＳ３３  顧客が顧客操作表示部１２を操作することによって、硬貨の取引が選択される。
ステップＳ３４  顧客によって選択された取引科目が入金取引であるかどうかを判断する。入金取引である場合はステップＳ３８に、入金取引でない場合はステップＳ３５に進む。
ステップＳ３５  出金取引である場合、受皿底７２を上方のクローズ位置に置き、搬送ベルト３３（図１５）を走行させて出金硬貨を受皿部７０に搬送する。
ステップＳ３６  接客シャッタ３４を開ける。
ステップＳ３７  顧客が硬貨を受け取り、ステップＳ４６に進む。
ステップＳ３８  接客シャッタ３４を開ける。
ステップＳ３９  顧客が入金硬貨を投入している間、待機する。
ステップＳ４０  入金硬貨の投入が終了すると、接客シャッタ３４を閉める。
ステップＳ４１  受皿底７２を下方のオープン位置に置き、投入された入金硬貨を受皿部７０の下方に配設された繰出部２２（図３参照）に自然落下させる。
ステップＳ４２  繰出部２２において分離させられた硬貨について、硬貨鑑別部２３によって真偽判定を行う。損貨、偽貨等である場合はステップＳ４４に、損貨、偽貨等でない場合はステップＳ４３に進む。
ステップＳ４３  顧客が投入した入金硬貨と、投入された入金硬貨を計数した結果とが一致すると、顧客は図示しないＣＲＴの表示画面の「確認」キーを押して処理を終了する。
ステップＳ４４  受皿底７２を上方のクローズ位置に置き、搬送ベルト３３を走行させて損貨、偽貨等であると判定された硬貨を受皿部７０に搬送する。
ステップＳ４５  接客シャッタ３４を開き、硬貨を顧客に受け取ってもらう。
ステップＳ４６  受取りが正常に終了したかどうかを判断する。受取りが正常に終了した場合はステップＳ５０に、受取りが正常に終了しなかった場合（顧客が硬貨を取り忘れた場合等）はステップＳ４７に進む。
ステップＳ４７  接客シャッタ３４を閉じる。
ステップＳ４８  受皿底４２を上方のオープン位置に置き、硬貨を繰出部２２に自然落下させる。
ステップＳ４９  繰出部２２の下方に配設された取忘取込ボックス２９に取り込んで処理を終了する。
ステップＳ５０  接客シャッタ３４を閉じて処理を終了する。
【００２８】
次に、本発明の第３の実施例について説明する。
図２１は本発明の第３の実施例における硬貨入出金機の受皿部の構造図、図２２は本発明の第３の実施例における硬貨入出金機の受皿部の断面図、図２３は本発明の第３の実施例における硬貨入出金機の受皿部の第１の状態図、図２４は本発明の第３の実施例における硬貨入出金機の受皿部の第２の状態図、図２５は本発明の第３の実施例における硬貨入出金機の受皿部の第３の状態図、図２６は本発明の第３の実施例における硬貨入出金機の受皿部の第４の状態図、図２７は本発明の第３の実施例における硬貨入出金機の受皿部の第５の状態図である。
【００２９】
図において、３４は接客シャッタ、９０は投入された入金硬貨、放出された出金硬貨等を収容する受皿部であり、該受皿部９０は、回転自在に配設された受皿部ドラム９１、第１の受皿底９２及び第２の受皿底９３から成る。そして、前記第１の受皿底９２は浅く、第２の受皿底９３は深く設定される。
なお、３３は出金硬貨、損貨、偽貨等を受皿部９０に搬送する搬送ベルトである。
【００３０】
また、９４は前記受皿部ドラム９１を回転させるための受皿回転モータである。
この場合、入金取引時においては、顧客によって投入される最大の枚数の入金硬貨を収容する必要があるので、図２３及び２４に示すように、第２の受皿底９３を上方に向けて受皿部９０を深くする。
【００３１】
続いて、図２５に示すように、受皿回転モータ９４を駆動して受皿部ドラム９１を回転させ、第２の受皿底９３を下方に向けると、収容された硬貨は自然落下して繰出部２２（図３参照）に送られる。
一方、出金取引時においては、最大で２７枚の出金硬貨を収容するだけでよく、損貨、偽貨等の返却時においては、多くて１〜２枚の硬貨を収容するだけでよいので、図２６及び２７に示すように、第１の受皿底９２を上方に向けて受皿部９０を浅くする。
【００３２】
このように、受皿部ドラム９１を回転させるだけで入金取引及び出金取引を行うことができるので、受皿部９０の機構を簡素化することができる。
次に、前記構成の受皿部９０の動作をフローチャートに基づいて説明する。
図２８は本発明の第３の実施例における硬貨入出金機の受皿部の動作を示すフローチャートである。
ステップＳ５１  顧客待ちの状態、又は硬貨入出金機１５（図２参照）と関係のない、例えば、通帳記帳等の取引が行われている状態においてアイドル待機をする。
ステップＳ５２  第２の受皿底９３（図２１）を上方に向ける。
ステップＳ５３  顧客が顧客操作表示部１２を操作することによって、硬貨の取引が選択される。
ステップＳ５４  顧客によって選択された取引科目が入金取引であるかどうかを判断する。入金取引である場合はステップＳ５８に、入金取引でない場合はステップＳ５５に進む。
ステップＳ５５  出金取引である場合、第１の受皿底９２を上方に向け、搬送ベルト３３（図２３）を走行させて出金硬貨を受皿部９０に搬送する。
ステップＳ５６  接客シャッタ３４を開ける。
ステップＳ５７  顧客が硬貨を受け取り、ステップＳ６６に進む。
ステップＳ５８  接客シャッタ３４を開ける。
ステップＳ５９  顧客が入金硬貨を投入している間、待機する。
ステップＳ６０  入金硬貨の投入が終了すると、接客シャッタ３４を閉める。
ステップＳ６１  受皿部ドラム９１を回転させ、投入された入金硬貨を受皿部９０の下方に配設された繰出部２２（図３参照）に自然落下させる。
ステップＳ６２  繰出部２２において分離させられた硬貨について、硬貨鑑別部２３によって真偽判定を行う。損貨、偽貨等である場合はステップＳ６４に、損貨、偽貨等でない場合はステップＳ６３に進む。
ステップＳ６３  顧客が投入した入金硬貨と、投入された入金硬貨を計数した結果とが一致すると、顧客は図示しないＣＲＴの表示画面の「確認」キーを押して処理を終了する。
ステップＳ６４  第１の受皿底９２を上方に向け、搬送ベルト３３を走行させて損貨、偽貨等であると判定された硬貨を受皿部９０に搬送する。
ステップＳ６５  接客シャッタ３４を開き、硬貨を顧客に受け取ってもらう。
ステップＳ６６  受取りが正常に終了したかどうかを判断する。受取りが正常に終了した場合はステップＳ７０に、受取りが正常に終了しなかった場合（顧客が硬貨を取り忘れた場合等）はステップＳ６７に進む。
ステップＳ６７  接客シャッタ３４を閉じる。
ステップＳ６８  受皿部ドラム９１を回転させ、硬貨を繰出部２２に自然落下させる。
ステップＳ６９  繰出部２２の下方に配設された取忘取込ボックス２９に取り込んで処理を終了する。
ステップＳ７０  接客シャッタ３４を閉じて処理を終了する。
【００３３】
次に、本発明の第４の実施例について説明する。
図２９は本発明の第４の実施例における硬貨入出金機の受皿部の構造図、図３０は本発明の第４の実施例における硬貨入出金機の受皿部の断面図、図３１は本発明の第４の実施例における硬貨入出金機の受皿部の第１の状態図、図３２は本発明の第４の実施例における硬貨入出金機の受皿部の第２の状態図、図３３は本発明の第４の実施例における硬貨入出金機の受皿部の第３の状態図、図３４は本発明の第４の実施例における硬貨入出金機の受皿部の第４の状態図、図３５は本発明の第４の実施例における硬貨入出金機の受皿部の第５の状態図である。
【００３４】
図において、３４は接客シャッタ、１１０は投入された入金硬貨、放出された出金硬貨等を収容する受皿部であり、該受皿部１１０は、回転自在に配設された受皿部ドラム１１１、進退自在に配設された受皿底１１２、及び該受皿底１１２に収容された硬貨の重さに対応させて受皿底１１２を進退させる受皿支持部１１３を有する。
【００３５】
該受皿支持部１１３は、前記受皿底１１２に収容された硬貨が少なく軽いときに受皿底１１２を前進させ、前記受皿底１１２に収容された硬貨が多く重いときに受皿底１１２を後退させる。
なお、３３は出金硬貨、損貨、偽貨等を受皿部１１０に搬送する搬送ベルトである。
【００３６】
また、１１４は前記受皿部ドラム１１１を回転させるための受皿回転モータである。
この場合、入金取引時においては、まず、図３１に示すように、受皿底１１２は前進させられ、顧客によって投入される入金硬貨の枚数が多くなると、図３２に示すように、受皿底１１２は後退させられ、受皿部１１０を深くする。
【００３７】
続いて、図３３に示すように、受皿回転モータ１１４を駆動して受皿部ドラム１１１を回転させ、受皿底１１２を下方に向けると、収容された硬貨は自然落下して繰出部２２（図３参照）に送られる。
一方、出金取引時においては、最大で２７枚の出金硬貨を収容するだけでよく、損貨、偽貨等の返却時においては、多くて１〜２枚の硬貨を収容するだけでよいので、図３４及び３５に示すように、受皿底１１２は前進させられ、受皿部１１０を浅くする。
【００３８】
このように、入金取引と出金取引とを切り替える際に受皿回転モータ１１４を駆動する必要がないので、受皿部１１０の機構を簡素化することができる。
次に、前記構成の受皿部１１０の動作をフローチャートに基づいて説明する。
図３６は本発明の第４の実施例における硬貨入出金機の受皿部の動作を示すフローチャートである。
ステップＳ７１  顧客待ちの状態、又は硬貨入出金機１５（図２参照）と関係のない、例えば、通帳記帳等の取引が行われている状態においてアイドル待機をする。
ステップＳ７２  受皿底１１２（図２９）には硬貨が収容されていないので、該受皿底１１２は前進させられる。
ステップＳ７３  顧客が顧客操作表示部１２を操作することによって、硬貨の取引が選択される。
ステップＳ７４  顧客によって選択された取引科目が入金取引であるかどうかを判断する。入金取引である場合はステップＳ７８に、入金取引でない場合はステップＳ７５に進む。
ステップＳ７５  出金取引である場合、搬送ベルト３３（図３１）を走行させて出金硬貨を受皿部１１０に搬送する。このとき、受皿底１１２に収容される硬貨が多くなるほど受皿底１１２は後退させられる。
ステップＳ７６  接客シャッタ３４を開ける。
ステップＳ７７  顧客が硬貨を受け取り、ステップＳ８６に進む。
ステップＳ７８  接客シャッタ３４を開ける。
ステップＳ７９  顧客が入金硬貨を投入している間、待機する。この間、受皿底１１２に収容される硬貨が多くなるほど受皿底１１２は後退させられる。
ステップＳ８０  入金硬貨の投入が終了すると、接客シャッタ３４を閉める。
ステップＳ８１  受皿部ドラム１１１を回転させ、投入された入金硬貨を受皿部１１０の下方に配設された繰出部２２（図３参照）に自然落下させる。
ステップＳ８２  繰出部２２において分離させられた硬貨について、硬貨鑑別部２３によって真偽判定を行う。損貨、偽貨等である場合はステップＳ８４に、損貨、偽貨等でない場合はステップＳ８３に進む。
ステップＳ８３  顧客が投入した入金硬貨と、投入された入金硬貨を計数した結果とが一致すると、顧客は前記ＣＲＴの表示画面の「確認」キーを押して処理を終了する。
ステップＳ８４  搬送ベルト３３を走行させて損貨、偽貨等であると判定された硬貨を受皿部１１０に搬送する。このとき、受皿底１１２に収容される硬貨が多くなるほど受皿底１１２は後退させられる。
ステップＳ８５  接客シャッタ３４を開き、硬貨を顧客に受け取ってもらう。
ステップＳ８６  受取りが正常に終了したかどうかを判断する。受取りが正常に終了した場合はステップＳ９０に、受取りが正常に終了しなかった場合（顧客が硬貨を取り忘れた場合等）はステップＳ８７に進む。
ステップＳ８７  接客シャッタ３４を閉じる。
ステップＳ８８  受皿部ドラム１１１を回転させ、硬貨を繰出部２２に自然落下させる。
ステップＳ８９  繰出部２２の下方に配設された取忘取込ボックス２９に取り込んで処理を終了する。
ステップＳ９０  接客シャッタ３４を閉じて処理を終了する。
【００３９】
なお、本発明は前記実施例に限定されるものではなく、本発明の趣旨に基づいて種々変形させることが可能であり、これらを本発明の範囲から排除するものではない。
【００４０】
【発明の効果】
以上詳細に説明したように、本発明によれば、硬貨入出金機においては、開閉自在に配設された接客シャッタと、該接客シャッタの下方に配設され、入金取引時及び出金取引時に硬貨を収容する受皿部と、該受皿部の下方に配設され、硬貨を繰り出す繰出部と、前記受皿部の側方に配設され、受皿部に硬貨を搬送する搬送ベルトとを有する。
そして、前記受皿部は、上端及び下端が開口させられた受皿部本体、該受皿部本体に対してオープン位置とクローズ位置とを採る第１の受皿底、該第１の受皿底より下方に配設され、前記受皿部本体に対してオープン位置とクローズ位置とを採る第２の受皿底、並びに、入金取引時に、前記第１の受皿底をオープン位置に、第２の受皿底をクローズ位置に置き、出金取引時に、前記第１の受皿底をクローズ位置に置く受皿底深さ設定手段を備える。
【００４１】
この場合、入金取引時に、前記第１の受皿底がオープン位置に、第２の受皿底がクローズ位置に置かれ、出金取引時に、前記第１の受皿底がクローズ位置に置かれる。したがって、入金取引時に、受皿部内に十分な枚数の硬貨を収容することができる。
また、出金取引時に受皿部内が見えやすくなるので、硬貨の取忘れが発生するのを防止することができる。
【図面の簡単な説明】
【図１】本発明の第１の実施例における硬貨入出金機の受皿部の構造図である。
【図２】従来の自動取引装置及びホストコンピュータのブロック図である。
【図３】従来の自動取引装置の硬貨入出金機の概略図である。
【図４】従来の硬貨入出金機の受皿部の概略図である。
【図５】従来の硬貨入出金機の受皿部の斜視図である。
【図６】本発明の第１の実施例における硬貨入出金機の受皿部の断面図である。
【図７】本発明の第１の実施例における硬貨入出金機の受皿部の第１の状態図である。
【図８】本発明の第１の実施例における硬貨入出金機の受皿部の第２の状態図である。
【図９】本発明の第１の実施例における硬貨入出金機の受皿部の第３の状態図である。
【図１０】本発明の第１の実施例における硬貨入出金機の受皿部の第４の状態図である。
【図１１】本発明の第１の実施例における硬貨入出金機の受皿部の第５の状態図である。
【図１２】本発明の第１の実施例における硬貨入出金機の受皿部の動作を示すフローチャートである。
【図１３】本発明の第２の実施例における硬貨入出金機の受皿部の構造図である。
【図１４】本発明の第２の実施例における硬貨入出金機の受皿部の断面図である。
【図１５】本発明の第２の実施例における硬貨入出金機の受皿部の第１の状態図である。
【図１６】本発明の第２の実施例における硬貨入出金機の受皿部の第２の状態図である。
【図１７】本発明の第２の実施例における硬貨入出金機の受皿部の第３の状態図である。
【図１８】本発明の第２の実施例における硬貨入出金機の受皿部の第４の状態図である。
【図１９】本発明の第２の実施例における硬貨入出金機の受皿部の第５の状態図である。
【図２０】本発明の第２の実施例における硬貨入出金機の受皿部の動作を示すフローチャートである。
【図２１】本発明の第３の実施例における硬貨入出金機の受皿部の構造図である。
【図２２】本発明の第３の実施例における硬貨入出金機の受皿部の断面図である。
【図２３】本発明の第３の実施例における硬貨入出金機の受皿部の第１の状態図である。
【図２４】本発明の第３の実施例における硬貨入出金機の受皿部の第２の状態図である。
【図２５】本発明の第３の実施例における硬貨入出金機の受皿部の第３の状態図である。
【図２６】本発明の第３の実施例における硬貨入出金機の受皿部の第４の状態図である。
【図２７】本発明の第３の実施例における硬貨入出金機の受皿部の第５の状態図である。
【図２８】本発明の第３の実施例における硬貨入出金機の受皿部の動作を示すフローチャートである。
【図２９】本発明の第４の実施例における硬貨入出金機の受皿部の構造図である。
【図３０】本発明の第４の実施例における硬貨入出金機の受皿部の断面図である。
【図３１】本発明の第４の実施例における硬貨入出金機の受皿部の第１の状態図である。
【図３２】本発明の第４の実施例における硬貨入出金機の受皿部の第２の状態図である。
【図３３】本発明の第４の実施例における硬貨入出金機の受皿部の第３の状態図である。
【図３４】本発明の第４の実施例における硬貨入出金機の受皿部の第４の状態図である。
【図３５】本発明の第４の実施例における硬貨入出金機の受皿部の第５の状態図である。
【図３６】本発明の第４の実施例における硬貨入出金機の受皿部の動作を示すフローチャートである。
【符号の説明】
２２    繰出部
３３    搬送ベルト
３４    接客シャッタ
４０、７０、９０、１１０    受皿部
４１、７１    受皿底本体
４２、９２    第１の受皿底
４３、９３    第２の受皿底
４４    第１の駆動モータ
４５    第２の駆動モータ
７２、１１２    受皿底
７３    水平移動モータ
７４    上下移動機構
９１、１１１    受皿部ドラム
９４、１１４    受皿回転モータ
１１３    受皿支持部
【図１】
0003784860.tif 000002
【図２】
0003784860.tif 000003
【図３】
0003784860.tif 000004
【図４】
0003784860.tif 000005
【図５】
0003784860.tif 000006
【図６】
0003784860.tif 000007
【図７】
0003784860.tif 000008
【図８】
0003784860.tif 000009
【図９】
0003784860.tif 000010
【図１０】
0003784860.tif 000011
【図１１】
0003784860.tif 000012
【図１２】
0003784860.tif 000013
【図１３】
0003784860.tif 000014
【図１４】
0003784860.tif 000015
【図１５】
0003784860.tif 000016
【図１６】
0003784860.tif 000017
【図１７】
0003784860.tif 000018
【図１８】
0003784860.tif 000019
【図１９】
0003784860.tif 000020
【図２０】
0003784860.tif 000021
【図２１】
0003784860.tif 000022
【図２２】
0003784860.tif 000023
【図２３】
0003784860.tif 000024
【図２４】
0003784860.tif 000025
【図２５】
0003784860.tif 000026
【図２６】
0003784860.tif 000027
【図２７】
0003784860.tif 000028
【図２８】
0003784860.tif 000029
【図２９】
0003784860.tif 000030
【図３０】
0003784860.tif 000031
【図３１】
0003784860.tif 000032
【図３２】
0003784860.tif 000033
【図３３】
0003784860.tif 000034
【図３４】
0003784860.tif 000035
【図３５】
0003784860.tif 000036
【図３６】
0003784860.tif 000037